(57)【要約】 【課題】トナーに加わるストレスを抑制しつつトナー供給ローラによる現像ローラへの良好なトナー供給性及び該トナー供給ローラによる現像ローラ上の現像後余剰トナー（残留トナー）の良好な除去性（回収性）を両立させることができ、ひいては、良好な画像を形成できる現像装置を提供する。【解決手段】トナー供給ローラ１４は、硬さ１００Ｎ以下であり、少なくとも現像ローラ１３と接触する外周部が導電性を有し、ローラ１４に現像バイアス電圧と同電圧又は該現像バイアス電圧よりもトナーＴの帯電極性と同極性側の高電圧を印加するとともに、ローラ１４とローラ１３とを該両者の接触部で該両者表面が互いに逆方向に移動するように、且つ、ローラ１３の周速ｖ１に対するローラ１４の周速ｖ２の比θ（＝ｖ２／ｖ１）が１．２５≦θ≦３となるように回転させ、或いはさらにローラ１４のローラ１３への押込み量δを１．１ｍｍ以上１．７ｍｍ以下とした現像装置。【選択図】  図１
2005338253.tif 000002
【特許請求の範囲】
【請求項１】
現像ローラにトナー規制部材を圧接し、トナーをトナー供給ローラで該現像ローラ上へ供給し、供給された該トナーを前記トナー規制部材で量規制しつつ摩擦帯電させて像担持体に臨む現像領域へ供給し、該トナーを前記現像ローラへの現像バイアス電圧印加のもとに該像担持体上の静電潜像の現像に供し、該現像ローラ上の現像後残留トナーを前記トナー供給ローラで除去する現像装置であって、前記トナー供給ローラは、その硬度が硬さ１００Ｎ以下であり、少なくとも前記現像ローラと接触する外周部が導電性を有し、該トナー供給ローラに前記現像バイアス電圧と同電圧又は該現像バイアス電圧よりもトナーの帯電極性と同極性側の高電圧を印加するとともに、該トナー供給ローラと現像ローラを該両者の接触部で該両者表面が互いに逆方向に移動するように、且つ、現像ローラの周速ｖ１に対するトナー供給ローラの周速ｖ２の比θ（＝ｖ２／ｖ１）が１．２５≦θ≦３となるように回転させることを特徴とする現像装置。
【請求項２】
前記トナー供給ローラの前記現像ローラへの押込み量δが１．１ｍｍ以上１．７ｍｍ以下である請求項１記載の現像装置。
【発明の詳細な説明】
【技術分野】
【０００１】
本発明は複写機、プリンター等の画像形成装置において像担持体上に形成される静電潜像を現像して可視化する現像装置に関する。
【背景技術】
【０００２】
複写機、プリンター等の画像形成装置においては、電子写真用感光体や静電記録用誘電体等の像担持体に形成された静電潜像を現像して可視トナー像とする現像装置が用いられている。かかる現像装置には、大別して、主としてトナー及びキャリアからなる２成分現像剤を用いる２成分現像装置と、主としてトナーからなる１成分現像剤を用いる１成分現像装置とが知られている。
【０００３】
これら現像装置のうち１成分現像装置として、次の構造のものが知られている。すなわち、像担持体に近接又は接触配置されるべきローラ型のトナー担持体（現像ローラ）にトナー規制部材を圧接するとともに該トナー担持体の表面移動方向において該トナー規制部材より上流側にトナー供給ローラを配置し、該トナー供給ローラで１成分現像剤をトナー担持体上へ供給し、供給されたトナーをトナー規制部材で所定層厚のトナー薄層とするとともに摩擦帯電させて像担持体に臨む現像領域へ供給し、トナー担持体への現像バイアス印加のもとに静電潜像の現像に供し、現像に供されなかったトナー担持体上のトナーについては該トナー供給ローラで除去するものである。トナー供給ローラはトナーをトナー担持体へ供給するだけでなく、同時にトナー担持体上の現像に供されずに残った余剰トナーを除去する。
【０００４】
このような構造の１成分現像装置において、トナー供給ローラからトナー担持体へのトナー供給が円滑に行われないときには、トナー担持体に十分な量のトナーが供給されず、画像濃度が低下する。
【０００５】
また、トナー担持体上の現像に供されずに残った余剰トナーのトナー供給ローラによる除去が円滑になされない場合には、現像領域を通過したトナー担持体表面における前回形成画像の履歴を十分に消去できず、これが次の画像形成時の画像上に所謂ゴーストとなって現れるという画像不良が発生する。
【０００６】
そこで、例えば、トナー供給ローラからトナー担持体へ十分な量の現像剤を供給すべく、トナー供給ローラの回転速度を上げようとるすと、現像装置の安定した駆動のために大きい駆動トルクを必要とする。特に、トナー担持体表面に対してトナー供給ローラ表面が逆方向に移動するように両者を駆動するときは、大きい駆動トルクが要求される。
【０００７】
また、トナー供給ローラでトナー担持体上の画像履歴を十分消去すべく、トナー供給ローラ表面の硬度を大きくしすぎたり、トナー供給ローラをトナー担持体に強く押しつけたりすると、トナーが適量トナー担持体に供給されなくなったり、現像装置の駆動トルクが大きくなるばかりか、トナー供給ローラとトナー担持体との接触部でトナーが大きいストレスを受け、トナー担持体上やトナー規制部材等でのトナーのフィルミング化の他、トナーの変形、トナーの帯電特性の変化等も生じ、良好な画像を形成できなくなる。
【０００８】
このような問題を解決するため、例えば、特開平２００１−５１４９４号公報は、トナー担持体表面に対してトナー供給ローラ表面が逆方向に移動するように両者を駆動する現像装置において、トナー担持体に対するトナー供給ローラの周速比（トナー供給ローラ周速／トナー担持体周速）を０．７以上２．１以下とする現像装置を開示している。
また、該公報は、トナー供給ローラの外周部を、平均セル直径１００〜５００μｍの複数のセルを有する弾性層で構成することや、該弾性層のアスカーＦ硬度を１０°〜９０°とすること等を開示している。
【０００９】
また、特開平２００２−４９２３８号公報は、トナー像担持体がアスカーＣ硬度５０°以下の弾性体からなり、該トナー像担持体表面の動摩擦係数がトナーへの過剰なストレス防止（ひいてはトナーの過剰帯電防止）のために０．０２〜０．８とされ、トナー供給ローラの最上層が連泡発泡体で形成され、且つ、該連泡発泡体の硬度がトナー像担持体の硬度より小さく、トナー供給ローラへの押込み量が連泡発泡体の層厚より小さくされることで、トナーへのストレスを抑制しつつトナー供給ローラによるトナー供給性及びトナー担持体からの余剰トナーの除去性を向上させた１成分現像装置を開示している。さらに、該連泡発泡体層を導電性層とすることで、トナーの過剰電荷を効率良く分散できるようにして一層トナー除去性を向上させることも開示している。
【００１０】
【特許文献１】特開平２００１−５１４９４号公報
【特許文献２】特開平２００２−４９２３８号公報
【発明の開示】
【発明が解決しようとする課題】
【００１１】
しかしながら、現像ローラにトナー規制部材を圧接し、トナーをトナー供給ローラで該現像ローラ上へ供給し、供給された該トナーを前記トナー規制部材で量規制しつつ摩擦帯電させて像担持体に臨む現像領域へ供給し、該トナーを前記現像ローラへの現像バイアス電圧印加のもとに該像担持体上の静電潜像の現像に供し、該現像ローラ上の現像後残留トナーを前記トナー供給ローラで除去する現像装置においては、良好な画像形成のために、トナー供給ローラによる現像ローラへのトナー供給性の向上、該トナー供給ローラによる現像ローラ上の現像後余剰トナー（残留トナー）の除去性（回収性）の向上、現像装置の駆動トルクの低減、ひいてはトナーに加わるストレスの低減のために、なお工夫すべき点がある。
【００１２】
本発明は、かかる構成の現像装置であって、トナーに加わるストレスを抑制しつつトナー供給ローラによる現像ローラへの良好なトナー供給性及び該トナー供給ローラによる現像ローラ上の現像後余剰トナー（残留トナー）の良好な除去性（回収性）を両立させることができ、それにより良好な画像を形成できる現像装置を提供することを課題とする。
【課題を解決するための手段】
【００１３】
前記課題を解決するため本発明は、
現像ローラにトナー規制部材を圧接し、トナーをトナー供給ローラで該現像ローラ上へ供給し、供給された該トナーを前記トナー規制部材で量規制しつつ摩擦帯電させて像担持体に臨む現像領域へ供給し、該トナーを前記現像ローラへの現像バイアス電圧印加のもとに該像担持体上の静電潜像の現像に供し、該現像ローラ上の現像後残留トナーを前記トナー供給ローラで除去する現像装置であって、前記トナー供給ローラは、その硬度が硬さ１００Ｎ以下であり、少なくとも前記現像ローラと接触する外周部が導電性を有し、該トナー供給ローラに前記現像バイアス電圧と同電圧又は該現像バイアス電圧よりもトナーの帯電極性と同極性側の高電圧を印加するとともに、該トナー供給ローラと現像ローラを該両者の接触部で該両者表面が互いに逆方向に移動するように、且つ、現像ローラの周速ｖ１に対するトナー供給ローラの周速ｖ２の比θ（＝ｖ２／ｖ１）が１．２５≦θ≦３となるように回転させる現像装置を提供する。
【００１４】
ここで、「トナー供給ローラに現像バイアス電圧よりもトナーの帯電極性と同極性側の高電圧を印加する」という場合の「高電圧」とは電圧の絶対値を考慮しての高電圧であり、負帯電性トナーを用いて反転現像する場合を例にとると、現像バイアス電圧が例えば−４００Ｖの場合にトナー供給ローラに例えば−５００Ｖや−８００Ｖの電圧を印加する場合を指している。
また、トナー供給ローラの「硬さ」は、ローラ表面を含む層の硬さであり、次の硬さ試験方法により求められるものである。すなわち、該層と同材質の３９０ｍｍ×３９０ｍｍ×５０ｍｍ（厚さ）の試料を直径２００ｍｍの円板にて押圧し、その際、該円板にて４．９Ｎ荷重を加えたときの試料の厚さを元厚として、さらに荷重を増やして元厚が７５％になるまで前圧縮し、元厚が２５％になるまで圧縮を緩め、緩めたあと２０秒後の硬さ（Ｎ）を測定し、これを「硬さ」としたものである。
【００１５】
現像剤担持体（現像ローラ）の構成としては表面が弾性材料で形成されておれば、どのような構成でもよい。例えば、芯金に直接弾性材料をコートした構成、弾性層を２層、３層などの多層に積層したような構成、樹脂や金属のスリーブ上に弾性層を設けた構成等を用いることができる。
【００１６】
この現像装置は、像担持体を有する画像形成装置本体に設置して、該像担持体上に形成される静電潜像を現像し、可視トナー像とすることができる。すなわち、現像用トナーが前記所定の電圧を印加されたトナー供給ローラにて現像ローラ上に供給され、該供給されたトナーがトナー規制部材により所定層厚のトナー薄層とされるとともに摩擦帯電され、該帯電トナーが現像ローラへの現像バイアス印加のもとに像担持体上の静電潜像の現像に供される。
現像後現像ローラ上に残った余剰トナー（残留トナー）は前記トナー供給ローラにより現像ローラから除去される。従って、トナー供給ローラは現像ローラへトナーを供給すると同時に現像ローラから余剰トナーを剥ぎ取る。
【００１７】
この現像装置においては、トナー供給ローラは、その硬度さが１００Ｎ以下と柔軟性を有し、現像ローラに適度のニップ幅で接触できること、現像ローラ周速ｖ１に対するトナー供給ローラ周速ｖ２の比θが１．２５以上となるように両ローラが回転駆動されること、さらに、トナー供給ローラは、少なくとも現像ローラと接触する外周部が導電性を有し、現像バイアス電圧と同電圧又は現像バイアス電圧よりもトナーの帯電極性と同極性側の高電圧が印加されるので、トナー供給ローラ上のトナーが予備帯電され、このように予備帯電されたトナーが現像ローラに静電気力で保持されるようになり、トナー規制部材の位置に到達する前にトナーが現像ローラから脱落することが抑制されることなどにより、トナーの供給性に優れている。
【００１８】
また、この現像装置によると、トナー供給ローラと現像ローラはそれらの相互接触部において両ローラ表面が互いに逆方向に移動するように回転駆動されること、トナー供給ローラは硬さが１００Ｎ以下の柔軟性を有し、現像ローラに適度のニップ幅で接触できること、現像ローラ周速ｖ１に対するトナー供給ローラ周速ｖ２の比θが１．２５以上となるように両ローラが回転駆動されることなどにより、現像ローラ上の現像後余剰トナーの除去性（回収性）に優れている。
トナー供給ローラの現像ローラに対する押込み量を１．１ｍｍ以上に設定すると一層トナー回収性に優れたものとなる。
【００１９】
また、この現像装置においては、トナー供給ローラは、その硬さが１００Ｎ以下と柔軟性を有していること、現像ローラ周速ｖ１に対するトナー供給ローラ周速ｖ２の比θが３以下となるように両ローラが回転駆動されることなどにより、現像装置駆動トルクをそれだけ低くすることができ、トナー供給ローラと現像ローラとの相互接触部等においてトナーに加わるストレスをそれだけ抑制することができる。
トナー供給ローラの現像ローラに対する押込み量を１．７ｍｍ以下に設定すると一層現像装置駆動トルク、ひいてはトナーに加わるストレスを抑制することができる。
【００２０】
これらにより、本発明にかかる現像装置では、トナーに加わるストレスが抑制されるとともに、トナー供給ローラによる現像ローラへのトナー供給性及び該トナー供給ローラによる現像ローラ上の現像後余剰トナー（残留トナー）の除去性（回収性）が向上する。
特に、トナー供給ローラに現像バイアス電圧と同電圧を印加すれば、温度、湿度といった環境の変動に拘らず、トナー供給ローラによる現像ローラへのトナー供給量が安定し、トナーへのストレスを抑制しつつ、トナー供給性、回収性を両立させることが可能である。
【００２１】
なお、トナー供給ローラの硬度は硬さ１００Ｎより低いことがより好ましい。しかし、トナー供給ローラの硬さはあまり低すぎると、現像ローラ上の未現像トナーの剥ぎ取りが困難になり、画像にゴーストが発生するようになり、また、ひずみが大きくなってくる。硬さ下限としては、２０Ｎ程度以上を例示できる。
【発明の効果】
【００２２】
本発明によると、現像ローラにトナー規制部材を圧接し、トナーをトナー供給ローラで該現像ローラ上へ供給し、供給された該トナーを前記トナー規制部材で量規制しつつ摩擦帯電させて像担持体に臨む現像領域へ供給し、該トナーを前記現像ローラへの現像バイアス電圧印加のもとに該像担持体上の静電潜像の現像に供し、該現像ローラ上の現像後残留トナーを前記トナー供給ローラで除去する現像装置であって、トナーに加わるストレスを抑制しつつトナー供給ローラによる現像ローラへの良好なトナー供給性及び該トナー供給ローラによる現像ローラ上の現像後余剰トナー（残留トナー）の良好な除去性（回収性）を両立させることができ、それにより良好な画像を形成できる現像装置を提供することができる。
【発明を実施するための最良の形態】
【００２３】
以下、本発明の実施形態を図面を参照して説明する。
図１に本発明に係る現像装置の１例の概略構成を示す。図１に示す現像装置は、全体として、画像形成装置本体に対し着脱可能のカートリッジ型に形成されている。
【００２４】
この現像装置は、１成分系のトナーＴを収容する装置ケース（カートリッジケース）１を備えている。該ケースの内部は仕切り壁１１により前後２室１１ａ、１１ｂに分けられている。トナーＴを収容する後ろ側の室１１ｂには可撓性攪拌羽根１２１を有する回転型アジテータ１２が設けられており、これは、トナーＴを攪拌しつつ仕切り壁１１の開口１１１を通して前側の室１１ａへ供給する。
【００２５】
前側の室１１ａには、現像ローラ１３が、画像形成装置本体における像担持体例である感光体ドラムＰＣに近接又は接触し得る位置に回転可能に配置されている。また、アジテータ１２にて供給されてきたトナーＴを現像ローラ１３へ供給するトナー供給ローラ１４が現像ローラ１３に回転可能に接触配置されている。
【００２６】
さらに、現像ローラ１３にはトナー供給ローラ１４から供給されるトナーＴの層厚を規制するトナー規制部材１５が接触配置されている。トナー規制部材１５は、現像領域へ移動する現像ローラ１３上のトナーＴの層厚を所定の厚さに規制してトナー薄層を形成するするとともに該トナーを摩擦帯電させる。
【００２７】
現像ローラ１３は、ここでは１５ｍｍ径の金属ローラの表面に厚さ０．５ｍｍのシリコンゴムの層を有し、その上にコート層を有する１６．０ｍｍ径の弾性現像ローラである。      
【００２８】
トナー供給ローラ１４は、少なくとも現像ローラ１３に接触する表層部が硬さ１００Ｎ以下の柔軟性を有し、且つ、現像ローラ１３へのトナー供給が可能な柔軟性の範囲のものである。
本例では、ローラシャフトを備えた芯金ローラ１４１に導電性をもたせ、この芯金ローラ１４１上に導電性弾性層１４２を被覆したものである。導電性弾性層１４２は、硬さ１００Ｎ以下の柔軟性を有し、トナー供給ローラ１４の外径は１１．６ｍｍであり、導電性弾性層１４２の厚みは３．３ｍｍである。
【００２９】
このトナー供給ローラ１４は現像ローラ１３に対し、導電性弾性層１４２の押込み量δが１．１ｍｍ以上、１．７ｍｍ以下になるように（１．１≦δ≦１．７）接触せしめられている。その結果、本例ではトナー供給ローラ１４と現像ローラ１３との相互接触部（ニップ部）のローラ回転方向の幅γは概ね４．４ｍｍ≦γ≦５ｍｍとなっている。
【００３０】
感光体ドラムＰＣは図示省略の駆動手段にて図中ＣＷ方向に回転駆動されるようになっており、また、現像装置が画像形成装置本体に装着されると、図示省略の駆動手段にて、アジテータ１２、現像ローラ１３及びトナー供給ローラ１４はいずれも図中ＣＣＷ方向に回転駆動されるようになっている。従って、現像ローラ１３とトナー供給ローラ１４の相互接触部において、両者表面は互いに反対方向に移動する。
【００３１】
静電潜像現像時には、現像ローラ１３及びトナー供給ローラ１４は、現像ローラ１３の周速ｖ１に対するトナー供給ローラ１４の周速ｖ２の比θ（＝ｖ２／ｖ１）が１．２５以上３以下（１．２５≦θ≦３）となるように回転駆動される。
感光体ドラムＰＣの周速ｖ３（所謂システム速度に同じ）に対する現像ローラ周速ｖ１の比（ｖ１／ｖ３）は１〜２程度、好ましくは１．５程度でよい。
【００３２】
また、静電潜像現像時には、現像ローラ１３に電源ＰＷ１から現像バイアス電圧が印加され、トナー供給ローラ１４には電源ＰＷ２から現像バイアス電圧と同電圧又は現像バイアス電圧よりもトナーの帯電極性と同極性側の高電圧が印加される。
【００３３】
以上説明した現像装置は、画像形成装置本体に装着して該本体における感光体ドラムＰＣ（像担持体の１例）上に形成された静電潜像を現像し、可視トナー像とすることができる。なお、感光体ドラム上の静電潜像は画像形成装置本体に搭載された図示省略の潜像形成手段にて形成される。
【００３４】
この現像装置によると、トナー供給ローラ１４は、その硬さが１００Ｎ以下とされ、少なくとも現像ローラ１３と接触する外周部が導電性を有し、トナー供給ローラ１４に現像バイアス電圧と同電圧又は該現像バイアス電圧よりもトナーＴの帯電極性と同極性側の高電圧が印加されるとともに、トナー供給ローラ１４と現像ローラ１３が、該両者の接触部で該両者表面が互いに逆方向に移動するように、且つ、現像ローラ１３の周速ｖ１に対するトナー供給ローラ１４の周速ｖ２の比θ（＝ｖ２／ｖ１）が１．２５≦θ≦３となるように回転駆動されるので、トナーＴに加わるストレスを抑制しつつトナー供給ローラ１４による現像ローラ１３へのトナー供給を十分行うことができるとともにトナー供給ローラ１４による現像ローラ１３上の現像後余剰トナー（残留トナー）の除去（回収）も十分行うことができ、ひいては、良好な画像を形成できる。
【００３５】
特に、トナー供給ローラ１４の現像ローラ１３への押込み量δを１．１ｍｍ以上とすることで、一層トナー回収性に優れたものとなり、また、押込み量δを１．７ｍｍ以下とすることで、一層現像装置駆動トルク、ひいてはトナーＴに加わるストレスを抑制することができる。
【００３６】
また、トナー供給ローラ１４に現像バイアス電圧と同電圧を印加すれば、温度、湿度といった環境の変動に拘らず、トナー供給ローラ１４による現像ローラ１３へのトナー供給量が安定し、トナーＴへのストレスを抑制しつつ、トナー供給性、回収性を両立させることが可能である。
【００３７】
次に実験例について説明する。以下に説明する実験例においては、現像ローラについては既述のものを採用した。トナー供給ローラについては、既述の構造、寸法のトナー供給ローラにおいて、導電性弾性層をウレタンフォームを用いて形成し、且つ、発泡度により硬さが５０、７０、９０、１１０のものを準備した。いずれのローラも導電性弾性層の体積抵抗率は１×１０3 Ω・ｃｍ〜５．５×１０5 Ω・ｃｍであった。
【００３８】
また、現像ローラ１３を周速度ｖ１＝１５０ｍｍ／ｓｅｃで回転駆動し、トナー供給ローラ１４については現像ローラ周速ｖ１に対するトナー供給ローラ１４の周速ｖ２の比θを１〜３．５の範囲で種々変えて回転駆動した。また、トナー供給ローラ１４の現像ローラ１３への押込み量δについては０．９ｍｍ〜２ｍｍの範囲で種々変更した。
【００３９】
これらの条件を種々組み合わせ、図示省略の帯電器にて−５００Ｖの帯電電圧印加にて表面に帯電された感光体ドラムの該帯電域に全面露光して、黒ベタ画像対応の静電潜像を形成し、これを、トナーとして負帯電性トナーを用い、現像ローラに現像バイアス電圧としてＤＣ−３５０ＶにＶPP１５００ＶのＡＣ電圧を重畳させた電圧を印加するとともにトナー供給ローラにバイアス電圧としてＤＣ−４５０ＶにＶPP１５００Ｖの電圧を重畳させた電圧を印加して現像し、黒ベタ画像を形成して、トナー供給ローラ１４による現像ローラ１３へのトナー供給性（供給性）、現像ローラ１３上の現像後トナーの除去性（回収性）及び現像装置の駆動トルク（Ｎｍ）（換言すればトナーに加わるストレス）を評価した。
【００４０】
評価は次の基準で行った。
(1) 供給性：○  現像ローラに十分なトナーが供給され、ベタ画像の画像濃度（ＩＤ）が                １．３以上
×  現像ローラへのトナー供給が十分でなく、ベタ画像の画像濃度（ＩＤ）                が１．３未満
(2) 回収性：○  現像ローラ上の未現像トナー（余剰トナー）の剥ぎ取りが十分であり、                画像にゴーストがでない。
×  現像ローラ上の未現像トナー（余剰トナー）の剥ぎ取りが十分でなく、                画像にゴーストがでる。
(3) トルク：○  現像装置駆動トルクが０．３２Ｎｍ未満であり、トナーへのストレスが                小さい。
×  現像装置駆動トルクが０．３２Ｎｍ以上であり、トナーへのストレスが                大きい。
これらを表１及び表２にまとめて示す。
【００４１】
【表１】
2005338253.tif 000003
【００４２】
【表２】
2005338253.tif 000004
【００４３】
表１、表２から、トナーへのストレスを低く抑制しつつ、トナー供給性及び回収性を両立させ得る条件として、トナー供給ローラ硬度が硬さ１００Ｎ以下、周速比θが１．２５以上３以下、押込み量δが１．１ｍｍ以上１．７ｍｍ以下であることが分かる。
【００４４】
かかる条件に加えて、環境変動（高温高湿環境３０℃８５％ＲＨ、低温低湿環境１０℃１５％ＲＨ）に対するバラツキを抑制するために、トナー供給ローラと現像ローラとの間に印加するバイアスを調整することが望ましく、これに関するデータを表３に示す。なお、表３は、トナー供給ローラ硬度が硬さ１００Ｎ以下、周速比θが１．２５以上３以下、押込み量δが１．１ｍｍ以上１．７ｍｍ以下を前提条件とするものである。
【００４５】
【表３】
2005338253.tif 000005
【００４６】
表３から、トナー供給ローラに印加するバイアス電圧を現像バイアス電圧と同電圧とすれば、現像ローラへのトナー供給量が環境変動に拘らず安定し、トナーへのストレスを低く抑制しつつ、トナー供給性と回収性を両立させ得ることが分かる。
【産業上の利用可能性】
【００４７】
本発明の現像装置は静電潜像を現像する画像形成において良好な画像を形成することに利用できる。
【図面の簡単な説明】
【００４８】
【図１】本発明に係る現像装置の１例の概略構成を示す図である。
【符号の説明】
【００４９】
ＰＣ  感光体ドラム
１  現像装置ケース（カートリッジケース）
１１  仕切り壁
１１１  仕切り壁の開口
１１ａ  前室
１１ｂ  後ろ室
１２  回転型アジテータ
１２１  攪拌羽根
１３  現像ローラ
１４  トナー供給ローラ
１４１  芯金ローラ
１４２  導電性弾性層
１５  トナー規制部材
Ｔ  トナー
ＰＷ１、ＰＷ２  電源
【図１】
2005338253.tif 000006